(57)【要約】【課題】  本発明は移動通信システムにおけるシンボル同期方法及び装置に関し、受信信号に周波数偏差や電力レベル変動が含まれる場合でも、短期間にシンボル同期を確立することができる移動通信システムにおけるシンボル同期方法及び装置を提供することを目的としている。【解決手段】  移動通信システムにおいてシンボル同期を確立する場合において、  ｎ倍オーバーサンプリングされた直交位相変調における受信ベースバンド信号Ｉ，Ｑについて、複素電力の変動が最も小さいサンプル位置をシンボルタイミングとして検出する手段を設けて構成される。このように構成すれば、短区間で複素電力レベル変動を評価しているため、受信電力オフセットの影響を受けにくく、高Ｓ／Ｎ環境でより速くシンボル同期を確立することができる。【選択図】    図１
2006245788.tif 000002
【特許請求の範囲】
【請求項１】
移動通信システムにおいてシンボル同期を確立する場合において、
ｎ倍オーバーサンプリングされた直交位相変調における受信ベースバンド信号Ｉ，Ｑについて、複素電力の変動が最も小さいサンプル位置をシンボルタイミングとして検出するようにしたことを特徴とする移動通信システムにおけるシンボル同期方法。
【請求項２】
各サンプル番号にＲＷＦを持たせ、複素電力変動の大きさに応じた値をＲＷＦに加算していくことによりシンボルタイミングを検出するようにしたことを特徴とする請求項１記載の移動通信システムにおけるシンボル同期方法。
【請求項３】
ＭＡＭ法を用いてシンボル位置とその前後のサンプル点の３点において、それぞれ複素電力平均値を算出してその大きさを比較することで理想シンボルタイミングからのずれを検出するようにしたことを特徴とする請求項１記載の移動通信システムにおけるシンボル同期方法。
【請求項４】
前記３点の複素電力平均値を比較した時、真ん中のサンプル番号の複素電力平均値が最大の時は、シンボルタイミング補正を行わないか、又は微調整し、前後のサンプル番号のどちらかの複素電力平均値が最大の時は、シンボルタイミング補正量を大きくすることを特徴とする請求項３記載の移動通信システムにおけるシンボル同期方法。
【請求項５】
移動通信システムにおいてシンボル同期を確立する場合において、
ｎ倍オーバーサンプリングされた直交位相変調における受信ベースバンド信号Ｉ，Ｑについて、複素電力の変動が最も小さいサンプル位置をシンボルタイミングとして検出する手段を設けたことを特徴とする移動通信システムにおけるシンボル同期装置。
【発明の詳細な説明】
【技術分野】
【０００１】
本発明は移動通信システムにおけるシンボル同期方法及び装置に関する。また、フェージング等による電力レベル変換やキャリア周波数のオフセットを考慮する必要があり、かつ直交位相変調方式（π／４ＱＰＳＫ変調方式や１６ＱＡＭ変調方式等）を用いる移動通信システムにおけるシンボル同期方法及び装置に関するものである。
【背景技術】
【０００２】
例えば、π／４ＱＰＳＫ変調方式は、２値信号“１”，“０”に応じて振幅“Ａ”、“−Ａ”を割り当てると共に、１シンボルについて４つの信号点データ（Ｉ，Ｑ）を与え、これを基に位相変調を行なう４位相変調（ＱＰＳＫ）を基本としている。移動通信システムにおいてシンボル同期を確立する場合、同期ワード等の既知シンボルを利用して同期確立する手法と、既知シンボルを利用せずに未知の情報シンボルのみを利用して同期確立する手法がある。
【０００３】
既知シンボルを利用する場合、受信信号と受信機内部の既知シンボルとの相関を算出し、最も相関の大きいタイミングをシンボルタイミングとする相関法が一般的である。既知シンボルを利用しない場合、受信信号のＩ成分或いはＱ成分のどちらか、或いはＩ，Ｑ両方の符号が反転するタイミングを検出して、そのタイミングを２つの連続するシンボル点の中間に位置するゼロクロス点と認識してシンボルタイミングを検出するゼロクロス法と、受信信号の複素電力レベルをオーバーサンプル単位（８倍オーバーサンプルなら８個のサンプル位置）で算出後、同一サンプル番号間で加算後平均化し、最も平均振幅値の絶対値或いは平均電力が大きいサンプル位置をシンボルタイミングとするＭＡＭ法（Ｍａｘｉｍｕｍ  Ａｍｐｌｉｔｕｄｅ  Ｍｅｔｈｏｄ）がある。
【０００４】
従来のこの種の技術としては、π／４シフトＱＰＳＫ被変調信号の復調装置におけるシンボルタイミング検出を高速で再生確度がよく、少ない演算量ですむようにした技術が知られている（例えば特許文献１参照）。また、ＱＡＭ方式の問題点である高いオーバーサンプルレートでのシンボル同期及び復調処理の欠点を改善するため、低いオーバーサンプルレートでも誤り率特性の劣化が少ない等化装置及び受信装置を提供する技術が知られている（例えば特許文献２参照）。
【特許文献１】特開２００２−１７１２９７号公報（段落００１８〜００２３、図１、図２）
【特許文献２】特開２００２−３４４３６２号公報（段落００３８〜００５３、図１、図２）
【発明の開示】
【発明が解決しようとする課題】
【０００５】
既知シンボルを利用しない手法に着目した場合、以下に示すような問題がある。先ず、ゼロクロス法には、キャリア周波数オフセットがある場合、或いは１６ＱＡＭ変調方式のような多値変調方式に適用する場合にシンボルタイミングの検出精度が劣化する。更に、π／４ＱＰＳＫ変調方式において遅延検波方式を用いる場合、本来π／４ＱＰＳＫ方式では必要のない搬送波再生処理を、シンボル同期を確立するためにだけ行なう必要がある。
【０００６】
また、ＭＡＭ法については、シンボルタイミングを検出する際に複素電力を用いるため、キャリア周波数オフセットの影響は受けず、また１６ＱＡＭ変調方式のような多値変調方式にも適用可能であるが、検出を行なうにあたり、シンボル平均化数を大きくとる必要があり、移動通信のように短期間でシンボル同期を確立する必要があるシステムでは、その効果を充分に発揮できない場合がある。
【０００７】
更に、シンボル平均化数を大きくとる必要があるということは、フェージング環境（エリアの位相がずれる環境）で受信信号の電力レベルが大きく変動する場合、平均の効果を充分に得られない可能性がある。
【０００８】
本発明はこのような課題に鑑みてなされたものであって、上記の問題点を解決し、受信信号に周波数偏差や電力レベル変動が含まれる場合でも、短期間にシンボル同期を確立することができる移動通信システムにおけるシンボル同期方法及び装置を提供することを目的としている。
【課題を解決するための手段】
【０００９】
（１）請求項１記載の発明は、移動通信システムにおいてシンボル同期を確立する場合において、ｎ倍オーバーサンプリングされた直交位相変調における受信ベースバンド信号Ｉ，Ｑについて、複素電力の変動が最も小さいサンプル位置をシンボルタイミングとして検出するようにしたことを特徴とする。
【００１０】
（２）請求項２記載の発明は、各サンプル番号にＲＷＦを持たせ、複素電力変動の大きさに応じた値をＲＷＦに加算していくことによりシンボルタイミングを検出するようにしたことを特徴とする。ここで、ＲＷＦはＲａｎｄａｍ  Ｗａｌｋ  Ｆｉｌｔｅｒの略である。
【００１１】
（３）請求項３記載の発明は、ＭＡＭ法を用いてシンボル位置とその前後のサンプル点の３点において、それぞれ複素電力平均値を算出してその大きさを比較することで理想シンボルタイミングからのずれを検出するようにしたことを特徴とする。
【００１２】
（４）請求項４記載の発明は、前記３点の複素電力平均値を比較した時、真ん中のサンプル番号の複素電力平均値が最大の時は、シンボルタイミング補正を行わないか、又は微調整し、前後のサンプル番号のどちらかの複素電力平均値が最大の時は、シンボルタイミング補正量を大きくすることを特徴とする。
【００１３】
（５）請求項５記載の発明は、移動通信システムにおいてシンボル同期を確立する場合において、ｎ倍オーバーサンプリングされた直交位相変調における受信ベースバンド信号Ｉ，Ｑについて、複素電力の変動が最も小さいサンプル位置をシンボルタイミングとして検出する手段を設けたことを特徴とする。
【００１４】
（６）この発明において、前後のサンプル番号のどちらかの複素電力平均値が最大であっても、真ん中のサンプル番号の複素電力平均値が最小である時、タイミング補正を行わないようにしたことを特徴とする。
【００１５】
（７）また、この発明において、シンボルタイミング補正値を監視し、タイミング補正値が±３を検出し続け、±１或いは０を検出しない場合には、同期状態を一旦非同期状態に戻すことを特徴とする。
【発明の効果】
【００１６】
（１）請求項１記載の発明によれば、複素電力の変動が最も小さいサンプル位置をシンボルタイミングとすることで、短時間にシンボル同期を確立することができる。
（２）請求項２記載の発明によれば、受信信号にシンボルが含まれている場合だけ確実にかつ高速にシンボルタイミングを検出することができる。
【００１７】
（３）請求項３記載の発明によれば、理想シンボルタイミングからのずれを確実に検出することができる。
（４）請求項４記載の発明によれば、急速に補正を行なうことができる。
【００１８】
（５）請求項５記載の発明によれば、複素電力の変動が最も小さいサンプル位置をシンボルタイミングとすることで、短期間にシンボル同期を確立することができる。
（６）この発明によれば、受信信号に周波数偏差や電力レベル変動が含まれる場合でも、短時間にシンボル同期を確立することができる。
【００１９】
（７）また、この発明によれば、受信信号に周波数偏差や電力レベル変動が含まれる場合でも、短期間にシンボル同期を確立することができる。
【発明を実施するための最良の形態】
【００２０】
以下、図面を参照して本発明の実施の形態例を詳細に説明する。
本発明では、ｎ倍オーバーサンプリング（以降ｎ＝８とする）された直交位相変調における受信ベースバンド信号Ｉ，Ｑについて、複素電力（Ｉ2＋Ｑ2）の変動が最も小さいサンプル位置を（理想シンボル点に最も近い）シンボルタイミングとして検出する。この原理が有効であることは、受信ベースバンド信号のアイパターン（シンボルの振幅パターンの変化）を観測した時に、シンボル位置のアイが最も開いていることを考えると明らかである。例えばπ／４ＱＰＳＫ変調方式では、シンボルタイミングにおける複素電力は、理想的には変動しない。また、１６ＱＡＭ変調方式等のシンボル点に複数の振幅値が存在する変調方式においても、シンボル点における複素電力の変動が最も小さい。
【００２１】
図１は本発明の原理ブロック図である。図において、１０は本発明の原理部分である。原理部分１０において、１は８倍オーバーサンプリングデータ（Ｉ成分）及び８倍オーバーサンプリングデータ（Ｑ成分）を受けて、複素電力Ｉ2＋Ｑ2を算出する複素電力変動算出部である。この複素電力変動算出部１は、各サンプル番号（サンプル０〜７）についてそれぞれ算出する。
【００２２】
２は、複素電力変動算出部１から出力された各サンプルの複素電力に対して、図２に示すように２つの連続するシンボルの同じサンプル番号同士で複素電力の差の絶対値を算出し、複素電力の変動分を求める複素電力変動算出部である。図２は複素電力変動算出部２の等価回路図である。後方のシンボル区間の各サンプルの複素電力から前方のシンボル区間の各サンプルの複素電力を演算器１１で減算する。減算された結果は、各サンプルの複素電力変動分となる。
【００２３】
３は、複素電力変動算出部２で求められた各サンプルの複素電力変動分について、その大小関係を基にサンプル番号に対して順序付けを行なう順序付け部である。ここで、順序付け部３は複素電力の変動の小さい順に順序を付与する。４は順序付け部３で付与された順序に従って、図３に示すようにサンプル番号に対して重み付け値を付与する重み付け部である。
【００２４】
図３は重み付け部の重み付け値を示す図である。サンプル番号１〜８のそれぞれに対して順序付け部３で変動が小さい順に並べる。図の場合には、サンプル番号５が変動が最も小さく、サンプル番号１が変動が最も大きい。これらの変動順序に対して、重み付け値は図に示すように付される。例えば、サンプル番号４には＋４が、サンプル番号５には＋３が、サンプル番号７には−３が、サンプル番号０には−４がそれぞれ割り当てられる。
【００２５】
５は、重み付け部４で付与された重み付け値を各サンプルが固有に持つＲＷＦ（Ｒａｎｄａｍ  Ｗａｌｋ  Ｆｉｌｔｅｒ）０〜７に加算していき、各サンプルのＲＷＦ値を更新するＲＷＦ部である。なお、図３に示すように、複素電力変動の小さいサンプル番号には正の重み付け値を、複素電力変動の大きなサンプル番号には負の重み付け値を付与することにより、ＲＷＦ部５がＲＷＦとして機能する。
【００２６】
６はＲＷＦ部５で更新されたＲＷＦ値と予め決められた閾値とを比較して、最初に閾値を越えたサンプル番号のタイミングをシンボル点として判定する判定部である。図の破線で囲った部分が本発明の原理部分１０である。７は８倍オーバーサンプリングの受信ベースバンド信号から、判定部６で求められたサンプル番号のサンプル点を抽出するシンボル抽出部である。
【００２７】
このように構成された回路において、各サンプル番号にＲＷＦを持たせ、複素電力変動の大きさに応じた値をＲＷＦに加算していく構成をとることにより、高Ｓ／Ｎ環境ではより高速に、低Ｓ／Ｎ環境においても確実にシンボル位置のサンプル番号のＲＷＦが閾値に達して、シンボルタイミングを検出することが可能になる。即ち、複素電力の変動が最も小さいサンプル位置をシンボルタイミングとすることで、短時間にシンボル同期を確立することができる。また、逆に受信信号がノイズのみでシンボルが存在しない場合には、ＲＷＦ構成の機能によりどのサンプル番号のＲＷＦも閾値に達しないことから、シンボルタイミングを検出せず、誤同期を未然に防ぐことが可能になる。
【００２８】
図４は本発明の動作原理を示すフローチャートである。回路としては、図１に示すものを用いる。先ず、複素電力変動算出部１でサンプルの複素電力を算出する（Ｓ１）。次に、複素電力変動算出部１は１シンボル区間のサンプル点で複素電力の算出が終了したかどうかチェックする（Ｓ２）。終了していない場合には、ステップＳ１に戻り、サンプルの複素電力の算出を行なう。
【００２９】
終了した場合には、複素電力変動算出部２は、前回と今回の１シンボル区間で同一サンプル位置の複素電力レベルを比較する（Ｓ３）。順序付け部３は、各サンプルに対する順序付けを行ない、重み付け部４は、レベル変動の小さいサンプル順に重み付け係数を更新する（Ｓ４）。例えば、レベル変動の小さい順に、
サンプル４
サンプル５
サンプル３
サンプル２
サンプル６
サンプル１
サンプル０
サンプル７
の場合、例えば
サンプル０の重み付け係数＝−３
サンプル１の重み付け係数＝−２
サンプル２の重み付け係数＝＋１
サンプル３の重み付け係数＝＋２
サンプル４の重み付け係数＝＋４
サンプル５の重み付け係数＝＋３
サンプル６の重み付け係数＝−１
サンプル７の重み付け係数＝−４
とする。
【００３０】
次に、ＲＷＦ部５は、各サンプルの重み付け係数を各サンプルのＲＷＦ値に加算・更新する（Ｓ５）。例えば、各サンプルのＲＷＦは以下のようになる。
ＲＷＦ０＋＝サンプル０の重み付け係数
ＲＷＦ１＋＝サンプル１の重み付け係数
ＲＷＦ２＋＝サンプル２の重み付け係数
ＲＷＦ３＋＝サンプル３の重み付け係数
ＲＷＦ４＋＝サンプル４の重み付け係数
ＲＷＦ５＋＝サンプル５の重み付け係数
ＲＷＦ６＋＝サンプル６の重み付け係数
ＲＷＦ７＋＝サンプル７の重み付け係数
である。
【００３１】
判定部６は、各サンプルのＲＷＦ値について最大値とそのサンプル番号を検索し、
最大ＲＷＦ値＞閾値
となるかどうかチェックする（Ｓ７）。そうでない場合には、ステップＳ１に戻り、最大ＲＷＦ値が閾値よりも大きくなったら、最大ＲＷＦ値のサンプル番号をシンボル閾値のサンプル番号とする（Ｓ８）。
【００３２】
このように、本発明によれば、サンプル番号にＲＷＦ値を持たせ、複素電力変動の大きさに応じた値をＲＷＦに加算していくことにより、受信信号にシンボルが含まれている場合だけ確実にかつ高速にシンボルタイミングを検出することができる。
【００３３】
図５は本発明の一実施の形態例を示すブロック図である。図１と同一のものは、同一の符号を付して示す。この実施の形態例は、直交位相変調方式（例えばπ／４ＱＰＳＫ変調方式）の受信機を示している。なお、アナログ部で必須のアンプやフィルタは省略してある。また、受信機として必須のＡＧＣ（自動ゲインコントロール）部、ＡＦＣ（自動周波数コントロール）部についても省略してある。
【００３４】
アンテナ１１で受信された受信信号は、ＩＱ復調器１２及び発振器１３を用いたダイレクトコンバージョン方式によりベースバンド信号（Ｉ，Ｑ成分）に直接変換される。その後、このベースバンド信号は、それぞれ２個のＡ／Ｄ変換器１４，１５を用いて離散信号（ディジタル信号）に変換され、ディジタル信号処理デバイス２５に入力される。ここで、ディジタル信号処理デバイス２５としては、例えばＤＳＰやＦＰＧＡ等が用いられる。
【００３５】
Ｑ成分には、乗算器１６にｊ成分が乗算され、加算器１７でＩ＋ｊＱが求まる。加算器１７からはベースバンド信号として出力される。ディジタルデータに変換されたベースバンド信号は、先ずルートロールオフフィルタ部１８に入力され、波形整形される。波形整形された信号（８倍オーバーサンプリングデータ）は、シンボル同期部２１及びシンボル抽出部１９に出力される。
【００３６】
シンボル同期部２１では、本発明の方式により理想シンボル点に最も近いサンプル番号を検出し、シンボル抽出部１９に通知する。また、シンボル同期部２１は、シンボル同期に関する同期状態（非同期状態・シンボル同期状態の２状態）を内部に保持し、同時にシンボル抽出部１９に通知する。シンボル抽出部１９は、シンボル同期部２１から通知された同期状態が同期状態の時、シンボル同期部２１から通知されたサンプル番号の信号だけ、ルートロールオフフィルタ部１８の出力として得られた８倍オーバーサンプリングのベースバンド信号から抽出し、シンボル復調部２０に出力する。
【００３７】
シンボル復調部２０では、シンボルデータについて適切な位相補正、レベル補正等を行ない、その後シンボルを判定してビットデータに変換する。また、シンボル同期部２１では、ＭＡＭ（Ｍａｘｉｍｕｍ  Ａｍｐｌｉｔｕｄｅ  Ｍｅｔｈｏｄ）を用いて、シンボル位置とその前後のサンプル点においてそれぞれ複素電力平均値を算出・比較することにより、理想シンボルタイミングからのずれを検出し、ＰＬＬ部２２に対してタイミング補正信号を出力する。ＰＬＬ部２２はＡ／Ｄ変換器１４，１５のサンプリングクロックを生成するが、タイミング補正信号によりサンプリングクロックの位相或いは周波数を微調整することによりシンボルタイミングの補正を行なう。
【００３８】
図６はシンボル同期部２１の内部構成例を示すブロック図である。同期状態制御部３０、シンボルタイミング検出部３１及びシンボルタイミング補正部３２から構成されている。ここで、シンボルタイミング検出部３１は、図１の本発明の原理部分１０に相当している。シンボルタイミング検出部３１とシンボルタイミング補正部３２とは排他的に動作する。
【００３９】
つまり、シンボルタイミング検出部３１は、同期状態制御部３０が非同期状態時に動作して、本発明の手法により理想シンボル位置に最も近いサンプル番号を検出し、検出フラグと共に同期状態制御部３０に通知する。同期状態制御部３０はその通知を受けると、同期状態をシンボル同期状態に遷移させ、シンボルタイミング検出部３１を休止させると共に、シンボルタイミング補正部３２を起動する。
【００４０】
シンボルタイミング補正部３２は、シンボルタイミング検出部３１が通知したサンプル番号とその前後のサンプル番号の３点について、長期間の複素電力平均値をそれぞれ算出する。ＭＡＭ法によれば、理想シンボル点における複素電力平均値が最大になることから、これら３点の複素電力平均値を比較することにより、理想シンボルタイミングと実際のシンボル点とのずれを確実に検出することができる。
【００４１】
つまり、シンボルタイミング検出部３１では、８倍オーバーサンプリングの精度でおおまかなシンボルタイミングを検出し、シンボルタイミング補正部３２により更に精度を上げて実際のシンボルタイミングと理想シンボルタイミングのずれを検出するということになる。
【００４２】
シンボルタイミング補正部３２では、図７，図８に示すように、比較の結果によって異なるタイミング補正値を出力する。図７，図８はシンボルタイミング補正部のタイミング補正値出力の場合分けを示す図である。（ａ）から（ｆ）までが示されている。縦軸は複素電力平均値、横軸は時間である。
【００４３】
３点の複素電力平均値のうち、真ん中のサンプル番号（シンボルタイミング検出部３１が検出したシンボル点位置）の複素電力値が最も大きく、かつその前後のサンプル番号の複素電力平均値の大きさが等しい、或いは等しいとみなせる時は、現在のシンボルタイミングは理想シンボルタイミングと一致しているとして、（ａ）に示すようにタイミング補正値＝０を出力する。
【００４４】
真ん中のシンボル点に対応するサンプル番号の複素電力平均値が一番大きいが、前方のサンプル番号の複素電力平均値の方が後方のサンプル番号の複素電力平均値よりも大きい時はシンボルタイミングが少しだけ後方にずれているとして、（ｂ）に示すようにタイミング補正値＝＋１を出力する。
【００４５】
逆に、後方のサンプル番号の複素電力平均値の方が前方のサンプル番号の複素電力平均値よりも大きい時は、シンボルタイミングが少しだけ前にずれているとして、（ｅ）に示すようにタイミング補正値＝−１を出力する。一方、真ん中のシンボル点に対応するサンプル番号よりもその前後のサンプル番号のどちらかの複素電力平均値が大きい場合は、タイミング補正値を更に大きくして出力する。
【００４６】
前方のサンプル番号の複素電力平均値が大きい時はシンボルタイミングが後方に大きくずれているとして、（ｃ）に示すようにタイミング補正値＝＋３を、後方のサンプル番号の複素電力平均値゛か大きい時は、シンボルタイミングが前方に大きくずれているとして、（ｆ）に示すようにタイミング補正値＝−３を出力する。
【００４７】
但し、真ん中（シンボル点に対応する）サンプル番号の複素電力平均値が最小の場合は、ノイズ等の影響でシンボルタイミング補正の方向を判断できない、或いは実際にはシンボルを受信していないと判断して、（ｄ）に示すようにタイミング補正値＝０を出力する。
【００４８】
なお、ここで用いられたタイミング補正値の具体的な値はあくまで一例であり、システムにより最適化する必要がある。同期状態制御部３０は、タイミング補正値を受け取ると、次の２つの処理を行なう。
【００４９】
一つは、ＰＬＬ部２２（図５参照）に対してタイミング補正信号を出力することである。もう一つは、タイミング補正値を無視して、タイミング補正値＝±３をいつまでも検出し続けた場合、正常にシンボルタイミング同期を維持することが困難であるとして、同期状態を一旦非同期状態に戻す。タイミング補正値が＋３或いは−３ばかり検出される時は、受信信号にシンボルは含まれているが、送受信機間でのシステムクロックの偏差が大きすぎて追従しきれない場合である。このように、この形態例によれば、受信信号に周波数偏差や電力レベル変動が含まれる場合でも、短期間にシンボル同期を確立することができる。
【００５０】
また、タイミング補正値が±３のいずれも混在している時は、受信信号にシンボルが含まれていない場合であると認識する。いずれの場合でも、非同期状態に遷移させ、再度シンボルタイミング検出部３１による引き込み処理から開始する。
【００５１】
また、本発明によれば、前記３点の複素電力平均値を比較した時、真ん中のサンプル番号の複素電力平均値が最大の時は、シンボルタイミング補正を行わないか、又は微調整し、前後のサンプル番号のどちらかの複素電力平均値が最大の時は、シンボルタイミング補正量を大きくすることができる。このようにすれば、急速に補正を行なうことができる。
【００５２】
また、本発明によれば、移動通信システムにおいてシンボル同期を確立する場合において、ｎ倍オーバーサンプリングされた直交位相変調における受信ベースバンド信号Ｉ，Ｑについて、複素電力の変動が最も小さいサンプル位置をシンボルタイミングとして検出する手段を設けることができる。このようにすれば、複素電力の変動が最も小さいサンプル位置をシンボルタイミングとすることで、短時間にシンボル同期を確立することとができる。
【００５３】
また、本発明によれば、前後のサンプル番号のどちらかの複素電力平均値が最大であっても、真ん中のサンプル番号の複素電力平均値が最小である時、タイミング補正を行わないようにすることができる。このようにすれば、受信信号に周波数偏差や電力レベル変動が含まれる場合でも、短期間にシンボル同期を確立することができる。
【００５４】
前述の実施の形態例では、８倍オーバーサンプリングの場合を例にとったが、本発明はこれに限るものではなく、任意の倍数のオーバーサンプリングを用いることができる。
（付記１）  移動通信システムにおいてシンボル同期を確立する場合において、
ｎ倍オーバーサンプリングされた直交位相変調における受信ベースバンド信号Ｉ，Ｑについて、複素電力の変動が最も小さいサンプル位置をシンボルタイミングとして検出するようにしたことを特徴とする移動通信システムにおけるシンボル同期方法。
【００５５】
（付記２）  各サンプル番号にＲＷＦを持たせ、複素電力変動の大きさに応じた値をＲＷＦに加算していくことによりシンボルタイミングを検出するようにしたことを特徴とする付記１記載の移動通信システムにおけるシンボル同期方法。
【００５６】
（付記３）  ＭＡＭ法を用いてシンボル位置とその前後のサンプル点の３点において、それぞれ複素電力平均値を算出してその大きさを比較することで理想シンボルタイミングからのずれを検出するようにしたことを特徴とする付記１記載の移動通信システムにおけるシンボル同期方法。
【００５７】
（付記４）  前記３点の複素電力平均値を比較した時、真ん中のサンプル番号の複素電力平均値が最大の時は、シンボルタイミング補正を行わないか、又は微調整し、前後のサンプル番号のどちらかの複素電力平均値が最大の時は、シンボルタイミング補正量を大きくすることを特徴とする付記３記載の移動通信システムにおけるシンボル同期方法。
【００５８】
（付記５）  移動通信システムにおいてシンボル同期を確立する場合において、
ｎ倍オーバーサンプリングされた直交位相変調における受信ベースバンド信号Ｉ，Ｑについて、複素電力の変動が最も小さいサンプル位置をシンボルタイミングとして検出する手段を設けたことを特徴とする移動通信システムにおけるシンボル同期装置。
【００５９】
（付記６）  前後のサンプル番号のどちらかの複素電力平均値が最大であっても、真ん中のサンプル番号の複素電力平均値が最小である時、タイミング補正を行わないようにしたことを特徴とする付記３記載の移動通信システムにおけるシンボル同期方法。
【００６０】
（付記７）  シンボルタイミング補正値を監視し、タイミング補正値が±３を検出し続け、±１或いは０を検出しない場合には、同期状態を一旦非同期状態に戻すことを特徴とする付記１記載の移動通信システムにおけるシンボル同期方法。
【００６１】
本発明のアルゴリズムは、短区間（シンボル長）で複素電力レベル変動を評価しているので、フェージングによる受信電力レベル変動の影響を受けにくく、また、複素電力を評価しているため、キャリア周波数オフセットの影響も受けない。また、ＭＡＭ法のように一定期間の平均電力で評価することはしないので、高Ｓ／Ｎ環境では、より速くシンボル同期を確立することが可能である。
【００６２】
更に、ＭＡＭ法では、受信信号が存在しない場合でも平均電力の最大値が存在するため、そのサンプル位置をもってシンボル同期を確立するが、本アルゴリズムでは、受信信号が存在しない場合、ＲＷＦが閾値に達する可能性は極めて低く、誤検出を防ぐ効果がある。
【図面の簡単な説明】
【００６３】
【図１】本発明の原理ブロック図である。
【図２】複素電力変動算出部の等価回路図である。
【図３】重み付け部の重み付け値を示す図である。
【図４】本発明の動作原理を示すフローチャートである。
【図５】本発明の一実施の形態例を示すブロック図である。
【図６】シンボル同期部の内部構成例を示すブロック図である。
【図７】シンボルタイミング補正部のタイミング補正値出力の場合分けを示す図である。
【図８】シンボルタイミング補正部のタイミング補正値出力の場合分けを示す図である。
【符号の説明】
【００６４】
１    複素電力変動算出部
２    複素電力変動算出部
３    順序付け部
４    重み付け部
５    ＲＷＦ部
６    判定部
７    シンボル抽出部
１０  本発明の原理部分
【図１】
2006245788.tif 000003
【図２】
2006245788.tif 000004
【図３】
2006245788.tif 000005
【図４】
2006245788.tif 000006
【図５】
2006245788.tif 000007
【図６】
2006245788.tif 000008
【図７】
2006245788.tif 000009
【図８】
2006245788.tif 000010